(57)【要約】【課題】二重床を形成する床パネルを集合住宅、オフィスなどの二重床構造に使用した場合、床パネルを取り付ける部屋の仕様に対応して、適当に截断された床パネルの最適箇所に高さ調整可能の支持脚を嵌合結合させ、容易に一体化を可能とする二重床構造を提供する。【構成】本発明の二重床構造は、下部に格子状リブを持つ床パネル１０と、該パネル１０に嵌合結合して床スラブ３０に取り付ける複数の支持脚１２、１２、１２、１２とより構成する。【選択図】      図１
2005060926.tif 000002
【特許請求の範囲】
【請求項１】
格子状リブを下部に持つ床パネルと、前記格子状リブにより形成された嵌合凹部に嵌合する嵌合凸部を上部に持つ床基盤上に設置される支持脚とよりなり、前記格子状リブにより形成された嵌合凹部に前記支持脚の嵌合凸部を嵌合して、前記支持脚を介して前記床基盤上に配設された床パネルにより二重床を形成する二重床構造であって、
前記床パネルが、木材、竹材の粉砕若しくは切削体、若しくは種子又はその殻若しくは脱穀残留体、植物繊維の１若しくはこれらの混合体からなる植物由来素材を樹脂固化して形成された植物素材含有体であることを特徴とする二重床構造。
【請求項２】
前記植物素材含有体が、固化用樹脂に分散可能な粒度を有する被分散体であり、該被分散体と熱可塑性樹脂を混合して加熱成型加工により形成した植物素材含有成型品であることを特徴とする二重床構造。
【請求項３】
前記床パネルの下部に形成された格子状リブは、リブ同士を互いに交差させて、多角形状の嵌合凹部を均等間隔で散在させて構成したことを特徴とする請求項１記載の二重床構造。
【請求項４】
前記格子状リブが、３６０度／Ｎ（Ｎは４以上の整数）の交差角でリブ同士を交差させて形成されていることを特徴とする請求項３記載の二重床構造。
【請求項５】
前記支持脚は、前記床基盤上に設置される設置底部と、前記床パネル底面側に位置する支持盤と、該支持盤上に突設する嵌合凸部と、前記設置底部と支持盤間にこれらと一体若しくは別体にして存在する第１の高さ調整機構とにより構成されたことを特徴とする請求項１記載の二重床構造。
【請求項６】
前記床パネル側の嵌合凹部と対面する支持盤上に第２の高さ調整機構を設けたことを特徴とする請求項５記載の二重床構造。
【請求項７】
前記第２の高さ調整機構が、前記支持盤側に設けた嵌合凹部に着脱自在に嵌合されたスペーサであって、前記床パネルと床基盤との間の高さ調節が、前記スペーサの選択と前記設置底部と支持盤間の第１の高さ調整機構との組合せで構成されていることを特徴とする請求項５記載の二重床構造。
【請求項８】
前記嵌合凸部を複数立設させて構成するとともに、前記嵌合凸部の隣接する二面が、前記嵌合凹部の隣接する二面と面接触可能に少なくとも三角形を含む多角形状に構成するか、若しくは前記嵌合凸部のそれぞれの外端が、前記嵌合凹部の対抗する角隅部と接触可能にＴ字型、十字型状を含む対角交差状に構成したことを特徴とする請求項１記載の二重床構造。
【請求項９】
前記床パネルが少なくとも三角形を含む多角形状であることを特徴とする請求項１記載の二重床構造。
【請求項１０】
前記床パネルと支持脚の嵌合位置がパネル角隅部とともに、パネル底面の任意箇所に設ける構成としたことを特徴とする請求項１記載の二重床構造。
【請求項１１】
床基盤上に配設された支持脚上に固定配置された床パネルにより二重床を形成する二重床構造において、
前記床パネルが、木炭を主要部とする粉砕体に樹脂を混合して加熱成型加工により形成した木炭系成型品であることを特徴とする二重床構造。
【請求項１２】
前記床パネルの裏面側を木炭系成型品で構成し、表面側を木粉を多くした木質成型品で形成し両者をサンドイッチ構造にした一体の床パネルであることを特徴とする請求項１１記載の二重床構造。
【請求項１３】
床基盤上に散在配置した複数の支持脚を介して二重床を形成するように配設された床パネル部材において、
前記支持脚と対面する床パネル下部に格子状リブを形成し、該格子状リブにより囲繞形成された嵌合凹部が前記支持脚上部に設けた嵌合凸部に嵌合可能に構成するとともに、該床パネル部材が、木材、竹材の粉砕若しくは切削体、若しくは種子又はその殻若しくは脱穀残留体、植物繊維の１若しくはこれらの混合体からなる植物由来素材を樹脂固化して形成された植物素材含有体であることを特徴とする床パネル部材。
【請求項１４】
前記床パネル部材が３角形以上の多角形パネル部材である請求項１３記載の床パネル部材において、
前記床パネルの一対の対角を結ぶ仮想線に平行且つ等間隔に並ぶリブと、他の対角を結ぶ仮想線に平行且つ等間隔に並ぶリブと、床パネルの外辺に平行且つ辺縁側に延在するリブとが交差する交差空間内に前記嵌合凹部が形成されていることを特徴とする床パネル部材。
【請求項１５】
前記格子状リブの少なくとも１本が、前記床パネルの一対の対角を結ぶ仮想線に沿って延在されていることを特徴とする請求項１４記載の床パネル部材。
【請求項１６】
床基盤上に配設された支持脚上に固定配置される床パネルの製造方法において、
熱可塑性樹脂と該樹脂内に分散可能に形成された植物由来分散体とを混練加熱して形成した加熱混練体を床パネル形状にプレス成形しつつ合成樹脂固化温度以下に冷却することを特徴とする床パネルの製造方法。
【発明の詳細な説明】
【０００１】
【発明の属する技術分野】
本発明は、床基盤上に空隙を介して配設された床パネルにより二重床を形成する二重床構造に係り、特にオフィス、マンション等の集合住宅等の洋間等の電気配線や配管類を格納する二重床構造とその床パネル部材に関するものである。
【０００２】
【従来の技術】
従来より、マンション、オフィス等においては床面上に前記高さ調整部を持つ支持脚を介して床板を設け、防振性、防音性の向上及び電気配線等の格納を可能にしているものが存在する。
例えば、特許文献１に見られるように、床スラブ（床基盤）上に打設するモルタルの代わりに床板にねじ込み可能の支持脚を設け床板の高さを調整できるようにしたものが提案されており、図７に見るように、床スラブ５１上に自己平滑性の床下地材５５を設け、該床下地材５５の上側に高さ調整可能の支持脚５６を介して複数個の床板５２を敷き並べる構成にしてある。
上記支持脚５６は、前記各床板５２の底面の四隅にねじ込み可能に設けられ、床板高さを個別に調整可能にしている。なお、隣接する床板との間には、パッキング５７と目地５８を設けてある。
【０００３】
然し、従来の床スラブと離間させて形成される二重床においては、通常床スラブ上に立設された支持脚の上部に床パネルの隅部を載置する構成にしてあるため、耐荷重性は低く、この問題解決のため床パネル自体の剛性の向上ないし、前記四隅の支持脚以外の支持手段により高い耐荷重性を得るようにした提案がされている。（例えば特許文献２参照）
上記提案は、床パネル自体の重量を大きくしてその強度を上げることなく、高い耐荷重性を得るようにしたもので、図８（Ａ）、（Ｂ）に示すように、床スラブ５１上に立設配置されたベース６７、支持脚６８の上部に隅部６９を載設するとともに、少なくとも一対の波板状パネル６４、６４を切り欠き６５を介して交差連結して形成された補強部材とにより、床パネル６２を支持して、該床パネル６２の耐荷重性の向上を図っている。
なお、図９に見るように前記波板パネル６４、６４の端部の上下には突出部７１、７１を設け床パネルの隅部及び、支持脚６８のベース６７に設けた係止孔７２に係止させる構成にしてある。
則ち、本提案においては、二重床を形成する床パネルに耐荷重性を持たせるために提案されたもので、床パネルを支持すべく該パネルの４隅に設けた支持脚の対角線方向に互いに交差して上からの荷重を受ける補強パネルを設けたものである。
【０００４】
さらに、上記二重床構造とは別に置き敷き二重パネルが使用されている。置き敷き二重パネルは、平板パネルの上に配置された机、書棚などの重量が少数の脚部に集中しても耐えられるようにするとともに、隣接する床面パネル間のズレを相互のジョイントにより連結し、脚柱部及び天板部が横方向にズレがないばかりか、床面に対しても不規則な凹凸を生じないようにさせたものである。
【０００５】
上記置き敷き二重パネルに関しても、下記提案がある。（例えば特許文献３参照）
上記提案よりなる置き敷き二重床パネルは、図１０（Ａ）に見るように、上面８１が略正方形の平面状に形成されるとともに、下面に図１０（Ｂ）に示す直交格子状リブよりなる補強部８２とよりなる天板部８０と、
前記天板部８０と略同形の建物の構造床上に置き敷きされる薄肉状のベース部８４と、該ベース部８４に所定間隔で立設された複数の脚柱８５とよりなる脚柱部８３とより構成し、並列に配設し所定空間の床を覆う構成にしてある。
前記天板部８０の補強部８２は、図１０（Ｂ）に見るように直交格子状リブよりなり、形成された補強部８２の角部間に第１筋交い部８２ａと第２筋交い部８２ｂを設け、前記脚柱８５（図１０（Ａ）の場合は９箇所に設けてある）はそれが対応する前記直交リブの９箇所の結合点８７に対応させ、前記脚柱８５の頂部に設けた十字型係合支持部９３に嵌合させ、前記天板部８０と脚柱部８３とを一体化させる構成にしてある。
本提案においては、天板部８０の下面に形成された補強部８２が直交格子リブ状に形成されるとともに、前記脚柱部８３の脚柱８５に形成されている係合支持部９３が十字状に形成されているため、水平方向で四方の内二方が少なくとも嵌合されることになり、前記補強部８２及び係合支持部９３の寸法誤差を生じても略水平方向の動きが阻止される。そのため、安定性が増し前記ベース部８４が薄肉状であることにより、構造床が水平でなくても追従可能である。
【０００６】
則ち、特許文献３記載の提案は、略正方形状の天板部を形成する床パネルと該パネルを下部より支持する複数の脚柱よりなる脚柱部とより構成し、前記床パネルの下部には、該パネルの四辺に平行に設けられた直交リブにより形成された断面形状が正方形の直交格子を設ける構成とし、前記脚部の頂部に嵌合凹部を形成する十字型溝を設け、前記直交格子の隅部を形成する縦横のリブの交差部位よりなる嵌合凸部を前記嵌合凹部に嵌合する構成とし、該嵌合により前記床パネルと脚柱部とを一体構成に構成し、水平方向のズレを皆無とする構成としたものである。
なお、前記脚柱には高さ調整機能は付与してないため、置き敷きされた複数の床パネル群は前記脚柱部が置き敷きされる床スラブに対応して変化してしまう。
【０００７】
【特許文献１】
特開平７−１１７５４号公報
【特許文献２】
特開平８−２１８６０４号公報
【特許文献３】
特開２００１−３０３７５７公報
【０００８】
【発明が解決しようとする課題】
ところで、従来の二重床構造を見るに、床パネルの耐荷重性を持たせた中における軽量化の問題や、床パネルを支持する脚柱と床パネルとを一体化するための取り付け手段の簡易化の問題や、部屋の形状に併せて截断された床パネルに対し最適の位置に脚柱を簡単に設けるための床パネルと脚柱の接合部の構造的問題等が未解決の状態にあり、これらの問題はＯＡフロアの普及に連れ早急な解決が望まれている。
【０００９】
本発明は、上記問題点に鑑みなされたもので、上げ床構造において、二重床を形成する床パネルを集合住宅などの二重床構造に使用した場合、床パネルを取り付ける部屋の仕様に対応して、適当に截断された床パネルの最適箇所に高さ調整可能の支持脚を嵌合結合させ、容易に一体化を可能とする二重床構造及びそのパネル部材の提供を目的とするものである。
本発明の他の目的は、調湿、消臭を可能とする二重床構造及びそのパネル部材の提供を目的とするものである。
【００１０】
【課題を解決するための手段】
そこで、本発明は、
格子状リブを下部に持つ床パネルと、前記格子状リブにより形成された嵌合凹部に嵌合する嵌合凸部を上部に持つ床基盤上に設置される支持脚とよりなり、前記格子状リブにより形成された嵌合凹部に前記支持脚の嵌合凸部を嵌合して、前記支持脚を介して前記床基盤上に配設された床パネルにより二重床を形成する二重床構造であって、
前記床パネルが、木材、竹材の粉砕若しくは切削体、若しくは種子又はその殻若しくは脱穀残留体、植物繊維の１若しくはこれらの混合体からなる植物由来素材を樹脂固化して形成された植物素材含有体であることを特徴とする。
【００１１】
上記発明は、床パネルの耐荷重強度と軽量化の問題解決のため、床パネルの下部構造を格子状リブよりなる構成とするとともに、該格子状リブにより多数の格子状の嵌合凹部を形成させる。
ついで、上記格子状リブを持つ床パネルを床基盤より所用の空隙を設けてなる二重床構造とするため、前記床基盤に支持脚を設け、支持脚の上部に前記嵌合凹部に嵌合する嵌合凸部を設け、嵌合結合を形成させ、床パネルと支持脚とが一体構造の二重床構造を形成させたものである。
【００１２】
又本発明の二重床構造における、
前記植物素材含有体が、固化用樹脂に分散可能な粒度を有する被分散体であり、該被分散体と熱可塑性樹脂を混合して加熱成型加工により形成した植物素材含有成型品である構成が好ましい。
【００１３】
又本発明は、床基盤上に配設された支持脚上に固定配置された床パネルにより二重床を形成する二重床構造において、
前記床パネルが、木炭を主要部とする粉砕体に樹脂を混合して加熱成型加工により形成した木炭系成型品であるのがよい。即ち、木炭は、その断面が蜂の巣のように、網目状になっており、樹木の細胞そのままが空間になった、多孔質と呼ばれる構造であり、この多孔質の構造木炭粉を用いて樹脂を接着剤とした炭系成型品を形成することにより樹脂との密着性が増し、強度が増加する。
又、木質パネル表面上に露出するミクロの穴が、臭いを消したり、湿度を調節し、さらには木材を高温で蒸し焼きした高温炭を多く混合して電気導電度を高めることにより、電磁波遮へい材としても機能し、更には静電防止効果も発揮され、床パネルの下側空間に配設したパソコン等のＯＡケーブルにノイズが発生したりすることなく、床パネルとして極めて有利である。
【００１４】
又木炭の炭化温度が７００℃〜８００℃以下の低温で蒸し焼きした低温炭（黒炭）の場合は、木炭内部の表面で、熱分解が充分ではないため、カルボキシ性基やフェノールＯＨ基が残っていて、これらはすべて酸性を示す。そのため、アルカリ性の成分、たとえばアンモニアなどを、とてもよく吸着する。
従ってマンションのように壁面に化粧板を使用している箇所では低温炭の木炭粉を用いた炭系樹脂成型品を用いて床パネルを形成するのがよい。
【００１５】
一方、８００〜１０００℃以上の高温で蒸し焼きされた高温炭（白炭）では、低温炭の時に残っていたカルボキシル基やフェーノールＯＨ基が還元分解されて、量も少なくなり、それとともに残留官能基はカルボニル基が主になって、アルカリ性を示す。そこで、低温炭とは逆に、無機酸や有機酸の酸性物質、たとえば硫化水素などをよく吸着する。従って、都会のマンションや事務所では高温炭の木炭粉を用いた炭系樹脂成型品を用いて床パネルを形成するのがよい。
又前記木炭を賦活をして比表面積を約８００ｍ２／ｇ以上にした活性炭を前記木炭粉に混合しても一層効果がある。
【００１６】
従って本発明は、前記床パネルが、木炭を主要部とする粉砕体に樹脂を混合して加熱成型加工により形成した木炭系成型品であることも要旨であり、この場合に前記木炭は木炭を主成分とする粉砕炭で有れば、木粉を混入しても良い。特に木質の色合いを出すために、床パネルの裏面側を木炭系成型品で構成し、表面側を木粉を多くした木質成型品で形成し両者をサンドイッチ構造にして一体の床パネルを形成すれば、床下側で炭系パネルの効果、即ち、消臭、調湿、電磁遮蔽、静電気防止効果、床下側の滞留部分の消臭、調湿効果が発揮され、更にＯＡ用ハーネスのノイズ防止が確実に達成できるとともに、床面表面側では木質感のある床の生成が可能となる。
【００１７】
上記発明は、前記床パネルの下部構造である格子状リブにより形成される嵌合凹部と、該嵌合凹部に嵌合結合する支持脚上部に設けた嵌合凸部とが、前記格子状リブの場所を選ぶことなく何れの場所の嵌合凹部に対しても完全に嵌合結合するためには、両者の間に高い加工精度が要求される。
そのため、本発明では、前記格子状リブを持つ床パネルと、前記支持脚の少なくとも嵌合凸部は加熱成型加工品で構成するとともに、木材資源の回収と廃材の有効利用のため、粉砕した廃材木片と樹脂との混合部材を使用することも可能である。
【００１８】
また、前記本発明の二重床構造における、
前記床パネルの下部に形成された格子状リブは、例えば同一厚み若しくは異なる厚みののリブ同士を互いに交差させて、多角形状の嵌合凹部を均等間隔で散在させる構成が好ましい。
【００１９】
上記発明は、本発明の二重床構造における床パネルの下部構造について記載したもので、下部に形成された格子状リブ構造は、多数の同一若しくは異なる厚みよりなるリブを交差させ多角形状の嵌合凹部を均等間隔に散在させたものである。
【００２０】
また、前記本発明の二重床構造における、
前記格子状リブが、３６０度／Ｎ（Ｎは４以上の整数）の交差角で同一若しくは異なる厚みのリブを交差させ形成する構成が好ましい。
【００２１】
また、前記本発明の二重床構造における、
前記支持脚は、前記床基盤上に設置される設置底部と、前記床パネル底面に面接触する支持盤と、該支持盤上に突設する嵌合凸部と、前記設置底部と支持盤間にこれらと一体若しくは別体にして存在する第１の高さ調整機構とにより構成が好ましい。
【００２２】
上記発明は、本発明を構成する支持脚の構成について記載したもので、設置底部と支持盤とよりなり、該支持盤上には床パネルの下部に形成された嵌合凹部に嵌合する嵌合凸部を直立状に設けるとともに、前記設置底部と支持盤との間には設置底部に立設した高さ調整可能の第１の調整機構を前記支持盤に設け、支持盤螺合部と設置底部螺合部の何れでも調整可能の構成にしたものである。
【００２３】
また、前記本発明は、前記床パネル側の嵌合凹部と対面する支持盤上に第２の高さ調整機構を設け、該第２の高さ調整機構が、前記支持盤側に設けた嵌合凹部に着脱自在に嵌合されたスペーサであって、前記床パネルと床基盤との間の高さ調節が、前記スペーサの選択と前記設置底部と支持盤間の第１の高さ調整機構との組合せで構成されているのが好ましい。
【００２４】
上記発明は、本発明の二重床構造における床基盤と床パネルとの間の高さ調節は、前記支持盤と設置底部との間に設けた第１の高さ調整機構では不十分の場合はスペーサを組合せて使用する構成にする。
【００２５】
また、前記本発明は、
前記嵌合凸部を複数立設させて構成するとともに、前記嵌合凸部の隣接する二面が、前記嵌合凹部の隣接する二面と面接触可能に少なくとも三角形を含む多角形状に構成するか、若しくは前記嵌合凸部のそれぞれの外端が、前記嵌合凹部の対抗する角隅部と接触可能にＴ字型、十字型状を含む対角交差状に構成することが好ましい。
【００２６】
上記発明は、二重床構造における支持盤上に設けた嵌合凸部の構成について記載したもので、嵌合凸部は支持盤上にリブの厚みだけ離間させて複数個が立設され、その隣接する二面が対応する嵌合凹部の隣接する二面と面接触する構成とした、多角柱より構成する。則ち二面同士の二点以上の面接触により確実な嵌合を可能にする。
【００２７】
又上記発明は、二重床構造における支持盤上に設けた嵌合凸部の構成について別の態様を記載したもので、支持盤上に突設させた複数の嵌合凸部の隣接する二面間で嵌合凹部のリブ両面を接触により挟持嵌合させるとともに、前記嵌合凸部の少なくとも二つ以上の隅部の外面で、複数の嵌合凹部が共有する共有角隅部を挟持する構成とし、より確実な嵌合を可能にしたものである。
【００２８】
また、前記本発明は、
前記床パネルが少なくとも三角形を含む多角形状であり、該床パネルと支持脚の嵌合位置がパネル角隅部とともに、パネル底面の任意箇所に設ける構成が好ましい。
【００２９】
上記本発明は、本発明に使用できる床パネルの形状と、該床パネルを支持する支持脚の嵌合位置について記載したもので、床パネルの隅部とともに、パネル底面の何れの箇所においても嵌合支持する構成にしてある。
【００３０】
そして、床基盤上に空隙を介して配設された床パネルにより二重床を形成する二重床構造において、
前記床パネルが、木炭を主要部とする粉砕体に樹脂を混合して加熱成型加工により形成した木炭系成型品であり、また必要に応じて前記床パネルの裏面側を木炭系成型品で構成し、表面側を木粉を多くした木質成型品で形成し両者をサンドイッチ構造にした一体の床パネルであることを特徴とする。
【００３１】
更に本発明は、床基盤上に散在配置した複数の支持脚を介して二重床を形成するように配設された床パネル部材としても特定され、
前記支持脚と対面する床パネル下部に格子状リブを形成し、該格子状リブにより囲繞形成された嵌合凹部が前記支持脚上部に設けた嵌合凸部に嵌合可能に構成するとともに、該床パネル部材が、木材、竹材の粉砕若しくは切削体、若しくは種子又はその殻若しくは脱穀残留体（籾殻、麦殻等）、植物繊維（木綿や麻繊維等）の１若しくはこれらの混合体からなる植物由来素材を樹脂固化して形成された植物素材含有体であることを特徴とする。
【００３２】
そして前記床パネル部材が３角形以上の多角形パネル部材である床パネル部材において、
前記床パネル部材が４角形以上の多角形パネル部材である場合は、前記床パネルの一対の対角を結ぶ仮想線に平行且つ等間隔に並ぶリブと、他の対角を結ぶ仮想線に平行且つ等間隔に並ぶリブと、床パネルの外辺に平行且つ辺縁側に延在するリブとが交差する交差空間内に前記嵌合凹部が形成されており、前記床パネル部材が３角形のパネル部材である場合は、一対の頂点を結ぶ仮想線に平行且つ等間隔に並ぶリブと、前記一対の頂点とは異なる頂点と前記一対の頂点のうちの任意のひとつの頂点を結ぶ仮想線に平行且つ等間隔に並ぶリブと床パネルの外辺に平行且つ辺縁側に延在するリブとが交差する交差空間内に前記嵌合凸部が形成されていることを特徴とする。
【００３３】
そしてこのような床パネルは、熱可塑性樹脂と該樹脂内に分散可能に形成された植物由来分散体とを混練加熱して形成した加熱混練体を床パネル形状にプレス成形しつつ合成樹脂固化温度以下に冷却して製造される。
【００３４】
【発明の実施の形態】
以下、本発明を図に示した実施例を用いて詳細に説明する。但し、この実施例に記載される構成部品の寸法、材質、形状、その相対配置などは特に特定的な記載が無い限り、この発明の範囲をそれのみに限定する趣旨ではなく単なる説明例に過ぎない。
図１は本発明の二重床構造の一実施例の概略構成を示す一部破断の側面図で、図２は図１のＩＩ−ＩＩ視図である。図３は図１の別の実施例の概略構成を示す図で（Ａ）は一部破断の側面図で、（Ｂ）は（Ａ）のＩＩＩＢ−ＩＩＩＢ視図である。
図４は図１の支持脚の概略構成を示す図で、（Ａ）は側面図で（Ｂ）は（Ａ）のＩＶＢ−ＩＶＢ視図である、
図５は図３の支持脚の概略構成を示す図で、（Ａ）は側面図で（Ｂ）は（Ａ）のＶＢ−ＶＢ視図である。
図６は図４の支持脚に使用するスペーサの概略構成を示す図で、（Ａ）は側面図で（Ｂ）は（Ａ）ＶＩＢ−ＶＩＢ視図である。
【００３５】
図１は、本発明の二重床構造の一実施例を示す一部破断した側面図であるが、この場合は方形の床パネル１０を碁盤目状に配設し、配設した床パネルの隅部と隣接する床パネルの隅部とを一個の大型支持脚１２で支持して床基盤を形成する床スラブ３０に設けたものである。
図に見るように、本発明の二重床構造は、下部に格子状リブを持つ床パネル１０と、該パネル１０に嵌合結合して床スラブ３０に取り付ける複数の支持脚１２、１２、１２、１２とより構成する。
上記床パネル１０は、方形のパネルよりなり、上部は扁平の床面１０ａを形成するとともに、下部には床パネル１０の対角線方向に走行し、互いに９０度の交差角で交差する厚みｔのリブを等間隔Ｔで並走させた格子状リブ１０ｂを設けたものである。
【００３６】
上記格子状リブ１０ｂにより多数の同一寸法の方形凹部よりなる嵌合凹部１０ｃを形成させ、何れの箇所においても後記する嵌合凸部に嵌合可能の構造にするとともに、床面１０ａの耐荷重強度のアップと軽量化を可能としている。
【００３７】
図１のＩＩ−ＩＩ視図である図２に見るように、方形床パネル１０に対し、対角線方向の斜め走行のリブの配設により、四隅に形成される嵌合凹部は図に見るように断面形状が直角二等辺三角形の形状を持つ２個の嵌合凹部群を形成する。
【００３８】
図４には前記四隅の嵌合凹部群に嵌合して前記方形の床パネルの複数を接合する大型の支持脚１２の概略構成が示され、図の（Ａ）は側面図で（Ｂ）は（Ａ）のＩＶＢ−ＩＶＢ視図である。
図に見るように、支持脚１２は、背合わせ状に設けた断面形状が直角二等辺三角形の二つ三角柱１２ａ、１２ａよりなる四組の嵌合凸部群と、該嵌合凸部群を上部に立設する支持盤１２ｄと、該支持盤１２ｄの下部に設けた床基盤である床スラブ３０に対し螺子結合による矢印Ａ方向の高さ調整を可能とする高さ調整機構１７と、該調整機構により前記支持盤１２ｄに接続する設置底部１３とより構成する。
【００３９】
前記４組の嵌合凸部群（１２ａ、１２ａ）、（１２ａ、１２ａ）、（１２ａ、１２ａ）、（１２ａ、１２ａ）は、前記図１、図４（Ｃ）に示す碁盤目状に配設した床パネル１０、１０、１０、１０の一の床パネルの隅部の断面形状が直角二等辺三角形の嵌合凹部群１０ｃ、１０ｃに二点鎖線で示すように嵌合する構成にしてある。
上記嵌合により、図に見るように該支持盤１２ｄ上に立設させた四組の嵌合凸部を当該床パネル１０と隣接する他の床パネルの隅部の嵌合凹部にそれぞれに嵌合し、所定面積の二重床を形成する。
上記嵌合凸部１２ａ、１２ａは、リブの厚みｔを隔てて背中合わせの二つの直角二等辺三角柱１２ａよりなり、直角二等辺三角形柱１２ａの背中合わせの二面は厚みｔの格子状リブ１０ｂを挟持するとともに、その外側隅部は図４（Ｃ）に示す嵌合凹部１０ｃ、１０ｃに嵌合するとともに角隅部１６ａ、１６ｂ、１６ｃに接触可能にＴ字状交差を介して、確実な嵌合結合を形成する。
なお、床パネル１０の４隅の角は図２に示すように前記高さ調整機構１７が貫通できるように切り欠き部１０ｅを設けてある。
【００４０】
また、前記大型の支持脚１２を床パネル１０の隅部以外の内部に取り付ける場合は、図２の中央部付近に図示するように、前記嵌合凸部は、前記床パネル１０の対角線方向に並走し交差角９０度で互いに交差する複数本の格子状リブ１０ｂにより形成される、２列十字状の方形嵌合凹部群より中央の４個の方形嵌合凹部を除いた４隅の端部に形成された２個ずつの矩形状嵌合凹部の４組により形成された嵌合凹部群に嵌合する構成しにしてある。
なお、この場合は、前記中央の４個の嵌合凹部の中心に高さ調整機構１７の貫通孔１７ａを設けるのが好ましい。
【００４１】
そして、床パネル１０と大型の支持脚１２との嵌合結合により一体化され碁盤目状床パネルは、支持脚１２の下部に設けた設置底部１３により床基盤である床スラブ３０のスラブ面３０ａに取り付け、高さ調整機構１７により前記スラブ面の凹凸や傾斜に対応して床パネル１０を同一高さの水平面に維持する構成にしてある。
なお、この場合の高さ調整は、支持盤１２の下側ないし上側より調整操作をする。
【００４２】
図３は、本発明の二重床構造の他の実施例を示す図であり、この場合は、図１により碁盤目状に配設した個別の方形の床パネル１０に対し行うもので、床面に載置する荷重に対応させ適当部位に小型の支持脚２０を設けた場合を示している。
図に見るように床パネル１０の下部は前記したように格子状リブ１０ｂにより多数の嵌合凹部１０ｃを形成している。
そして、前記嵌合凹部１０ｃに支持脚２０の上部に立設させた四組の嵌合凸部２１ａ、２１ａ、２１ａ、２１ａを嵌合させ、床パネル１０と支持脚２０との嵌合結合を形成させ一体化させて、支持脚２０の支持盤２０ａの下部に設けた設置底部２２により床基盤である床スラブ３０のスラブ面３０ａに取り付け、後記する高さ調整機構２３により前記スラブ面３０ａの凹凸や傾斜に対応して床パネル１０の水平面維持を図っている。
【００４３】
図５には前記小型の支持脚２０の概略構成が示され、断面形状が方形の角柱よりなる４組の嵌合凸部２１ａ、２１ａ、２１ａ、２１ａを上部に立設させる支持盤２０ａと、下部に螺子結合による矢印Ｂ方向に床スラブ３０のスラブ面３０ａに対し、高さ調整可能の高さ調整機構２３により接続する設置底部２２とより構成する。
【００４４】
前記嵌合凸部２１ａ、２１ａ、２１ａ、２１ａは、前記図３に示す碁盤目状に配設した床パネル１０の個別の床パネル１０の対角線方向に等間隔Ｔで並走し互いに９０度の交差角で交差する厚みｔのリブにより形成された格子状リブ１０ｂにおいて、それぞれ前記９０度の交差角で並走する複数本の格子状リブの交叉により形成される５個の十字状方形嵌合凹部群の中央の嵌合凹部を除いて対照位置にある４個の嵌合凹部に嵌合させ、図５（Ａ）の二点鎖線に示す嵌合結合を形成している。
【００４５】
図６には前記大型の支持脚１２に設けた高さ継ぎ足し用のスペーサ１５の概略構成が示され、背合わせ状に設けた断面形状が直角二等辺三角形の二つ三角柱１５ａ、１５ａよりなる嵌合凸部の四組を上部に立設させ、下部に前記大型の支持脚１２の二つ三角柱１２ａ、１２ａよりなる嵌合凸部と嵌合する嵌合凹部１５ｄを設ける構成にしてある。該構成により大幅に床スラブ３０よりの高さの変更を要する場合には、前記大型の支持脚１２と床パネル１０の間にスペーサ１５を挿入するようにしたものである。
【００４６】
また、前記床パネル１０と少なくとも支持脚１２、２０の嵌合凸部は、熱可塑性樹脂と、木材の廃材の粉砕片、破砕片等とを原料とする加熱成型加工をする構成としてあるため、嵌合精度を上げるとともに二重床工事の合理化と効率化を図るとともに、特に木材資源の再利用を可能にし、省資源的である。
【００４７】
又前記床パネル１０が、木炭を主要部とする砕体に樹脂を混合して加熱成型加工により形成した木炭系成型品で形成しても良く、この場合に前記木炭は木炭を主成分とする砕炭で有れば、木質系破砕、切削体、籾殻や植物繊維を混入しても良い。特に木質の色合いを出すために、図１の一部拡大部（○書き）で示すように、床パネル１０の裏面側１００を木炭系成型品で構成し、表面側１０１を木粉を多くした木質成型品で形成し、両者をサンドイッチ構造にして一体の床パネル１０を形成すれば、床下側で炭系パネルの効果、即ち、消臭、調湿、電磁遮蔽、静電気防止効果、床下側の滞留部分の消臭、調湿効果が発揮され、更にＯＡ用ハーネスのノイズ防止が確実に達成できるとともに、床面表面側では木質感のある床の生成が可能となる。
【００４８】
【発明の効果】
本発明は上記構成により下記効果を奏する。
床パネルの下部構造を格子状リブよりなる構成により、耐荷重性強度を持たせるとともに軽量化を図ることが出来、前記格子状リブにより形成された嵌合凹部群により、該嵌合凹部に嵌合する嵌合凸部を備え且つ高さ調整機能を持った支持脚を備えた構成により、床パネルの所用の箇所に支持脚を随意備えることを可能とするとともに、床パネルと支持脚との確実な一体化を前記嵌合結合により図ることが出来、凹凸に富む床スラブに対しても安定した二重床構造を得ることができる。
また、前記床パネルと支持脚の少なくとも嵌合凸部は、樹脂と木材の廃材の粉砕片を原料とする加熱成型加工をする構成としてあるため、嵌合精度の向上を図ることが出来るとともに、二重床工事の合理化と効率化を可能とするとともに、木材資源の再利用を可能にしている。
【図面の簡単な説明】
【図１】本発明の二重床構造の一実施例の概略構成を示す一部破断の側面図である。
【図２】図１のＩＩ−ＩＩ視図である。
【図３】図１の別の実施例の概略構成を示す図で（Ａ）は一部破断の側面図で、（Ｂ）は（Ａ）のＩＩＩＢ−ＩＩＩＢ視図である。
【図４】図１の支持脚の概略構成を示す図で、（Ａ）は側面図で（Ｂ）は（Ａ）のＩＶＢ−ＩＶＢ視図、（Ｃ）は外側隅部に嵌合させる嵌合凹部である。
【図５】図３の支持脚の概略構成を示す図で、（Ａ）は側面図で（Ｂ）は（Ａ）のＶＢ−ＶＢ視図である。
【図６】図４の支持脚に使用するスペーサの概略構成を示す図で、（Ａ）は側面図で（Ｂ）は（Ａ）のＶＩＢ−ＶＩＢ視図である。
【図７】従来の床構造の改造図である。
【図８】従来の二重床の概略構成を示す図である。
【図９】図８の二重床の補強部材の設置状況を示す図である。
【図１０】従来の置き敷き二重床パネルの概略構成を示す図で、（Ａ）は全体図で、（Ｂ）は天板部の概略構成を示す図である。
【符号の説明】
１０      床パネル
１０ａ    床面
１０ｂ    格子状リブ
１０ｃ、１５ｃ    嵌合凹部
１２、２０      支持脚
１２ａ、１５ａ、２１ａ    嵌合凸部
１２ｄ、２０ｄ  支持盤
１３、２２    設置底部
１７、２３    高さ調整機構
３０      床スラブ
３０ａ    スラブ面
【図１】
2005060926.tif 000003
【図２】
2005060926.tif 000004
【図３】
2005060926.tif 000005
【図４】
2005060926.tif 000006
【図５】
2005060926.tif 000007
【図６】
2005060926.tif 000008
【図７】
2005060926.tif 000009
【図８】
2005060926.tif 000010
【図９】
2005060926.tif 000011
【図１０】
2005060926.tif 000012